(57)【要約】【課題】配光特性を変更することができる光源モジュール、表示装置及び照明装置を提供する。【解決手段】光源モジュール１０は、矩形状の基板２上にＬＥＤ１が複数適宜の離隔寸法で配置して実装してある。それぞれのＬＥＤ１には、配光特性（出射角度に対する相対光度の関係）が異なる複数種類のレンズ３又はレンズ４を装着してある。レンズ３、４により、ＬＥＤ１から発せられた光は、直上方向だけでなく、基板２の表面と略平行な方向へ拡散させることができる。また、レンズ３、４は、それぞれ配光特性が異なるので、レンズ３、４から出射される光の配光を変えることができる。【選択図】図１
2012123945.tif 000002
【特許請求の範囲】
【請求項１】
１又は複数の基板に実装された複数の光源を備える光源モジュールにおいて、
前記光源の配光を制御するレンズを備え、
該レンズが装着される光源の位置を選択して配光を変更可能にするように構成してあることを特徴とする光源モジュール。
【請求項２】
それぞれに光源を実装した複数の基板と、
該基板それぞれを配置して収容する収容部と
を備え、
前記基板の位置を変更して配光を調整するように構成してあることを特徴とする請求項１に記載の光源モジュール。
【請求項３】
配光特性が異なる複数種類のレンズを備え、
前記複数の光源のうち任意の光源に前記複数種類のレンズを装着してあることを特徴とする請求項１又は請求項２に記載の光源モジュール。
【請求項４】
前記複数種類のレンズは、
最大ピークの光度と光軸方向の光度との光度差が異なる配光特性を有することを特徴とする請求項３に記載の光源モジュール。
【請求項５】
前記光源は、
ＬＥＤであることを特徴とする請求項１から請求項４までのいずれか１つに記載の光源モジュール。
【請求項６】
請求項１から請求項５までのいずれか１つに記載の光源モジュールを備えることを特徴とする表示装置。
【請求項７】
請求項１から請求項５までのいずれか１つに記載の光源モジュールを備えることを特徴とする照明装置。
【発明の詳細な説明】
【技術分野】
【０００１】
基板に実装された複数の光源を備える光源モジュール、該光源モジュールを備える表示装置及び照明装置に関する。
【背景技術】
【０００２】
近年、発光ダイオード（ＬＥＤ）の高輝度化に伴い、白熱電球や蛍光灯などの光源に代えて、低消費電力、長寿命等の特性を有するＬＥＤが光源として看板若しくは標識などの表示装置、又は照明装置などに用いられるようになりつつある。
【０００３】
ＬＥＤを光源として用いる場合、光の有効利用を図るため、ＬＥＤから出た光を集光する凸レンズが用いられる場合があるが、レンズ効果により配光特性が光軸周りのかなり狭い角度に限定されるという問題がある。
【０００４】
そこで、ＬＥＤを収納する収納凹部の深さ寸法又は透明樹脂レンズの曲率半径を異ならせることにより、ＬＥＤの配光特性を異ならせて、照明灯具に要求される配光パターンを実現するＬＥＤモジュールが開示されている（特許文献１参照）。
【先行技術文献】
【特許文献】
【０００５】
【特許文献１】実公平７−４４０２９号公報
【発明の概要】
【発明が解決しようとする課題】
【０００６】
しかしながら、特許文献１のＬＥＤモジュールにあっては、基板表面に収納凹部を形成するので、一旦収納凹部の深さ寸法を決定して収納凹部を形成した後は、深さ寸法を変更することはできないので、照明灯具としての配光を変更することはできない。また、曲率半径の異なるレンズ構成を有する透明樹脂レンズは、基板上の各ＬＥＤに対応して形成されているので、一旦透明樹脂レンズが形成された後は、各ＬＥＤの配光特性は一義的に決まってしまい照明灯具としての配光を変更することはできない。一方で、看板若しくは標識などの表示装置又は照明装置などにおいて、設置環境又は用途などに応じて、配光特性を変更することが望まれている。
【０００７】
本発明は斯かる事情に鑑みてなされたものであり、配光特性を変更することができる光源モジュール、該光源モジュールを備えた表示装置及び照明装置を提供することを目的とする。
【課題を解決するための手段】
【０００８】
本発明に係る光源モジュールは、１又は複数の基板に実装された複数の光源を備える光源モジュールにおいて、前記光源の配光を制御するレンズを備え、該レンズが装着される光源の位置を選択して配光を変更可能にするように構成してあることを特徴とする。
【０００９】
本発明にあっては、光源の配光を制御するレンズを、当該レンズが装着される光源の位置を選択して配光を変更可能にする。レンズが装着される光源の位置を選択するということは、光源に装着するレンズのみの位置を選択する場合、レンズが装着されている光源自体の位置を選択する場合の両方の場合を含む。例えば、基板に予め配置して実装された光源のうち、レンズを装着する光源、すなわちレンズのみの位置を選択して配光を変更可能にする。また、レンズを装着した光源ごとに位置を選択して配光を変更可能にする。これにより、レンズの位置を変更して配光特性を変更することができ、所要の配光を得ることができる。
【００１０】
本発明に係る光源モジュールは、それぞれに光源を実装した複数の基板と、該基板それぞれを配置して収容する収容部とを備え、前記基板の位置を変更して配光を調整するように構成してあることを特徴とする。
【００１１】
本発明にあっては、それぞれに光源を実装した複数の基板と、各基板を配置して収容する収容部とを備える。そして、各基板の位置を変更して配光を調整する。レンズを装着した光源を実装した基板それぞれの位置を収容部内で変更することにより、配光特性を変更することができ、所要の配光を得ることができる。
【００１２】
本発明に係る光源モジュールは、配光特性が異なる複数種類のレンズを備え、前記複数の光源のうち任意の光源に前記複数種類のレンズを装着してあることを特徴とする。
【００１３】
本発明にあっては、配光特性が異なる複数種類のレンズを備え、複数の光源のうち任意の光源に複数種類のレンズを装着する。配光特性が異なる複数種類のレンズを装着する光源を変えることにより、例えば、第１の配光特性のレンズを装着した光源による配光特性と、第１の配光特性と異なる第２の配光特性のレンズを装着した光源による配光特性とを異ならせるとともに、配光特性の異なるレンズを装着する光源の位置を自由に変えることができるので、所要の配光を得ることができる。
【００１４】
本発明に係る光源モジュールは、前記複数種類のレンズは、最大ピークの光度と光軸方向の光度との光度差が異なる配光特性を有することを特徴とする。
【００１５】
本発明にあっては、複数種類のレンズは、最大ピークの光度と光軸方向の光度との光度差が異なる配光特性を有する。例えば、レンズの配光特性（出射角度に対する相対光度の関係）が、出射角度が小さい範囲（すなわち、光軸方向付近）で相対光度がほぼ均等であって小さく、出射角度が９０度（すなわち水平方向）に近づくにつれて相対光度の最大ピークを有するような場合、第１の配光特性は、出射角度が小さい範囲で相対光度が小さく、かつ相対光度の最大ピークが大きくし、第２の配光特性は、出射角度が小さい範囲で相対光度が第１の配光特性よりも大きく、かつ相対光度の最大ピークが第１の配光特性よりも小さくすることができる。これにより、光源の光軸方向（直上方向）の照度を確保しつつ光源の光を広範囲に拡散することができる。
【００１６】
本発明に係る光源モジュールは、前記光源は、ＬＥＤであることを特徴とする。
【００１７】
本発明にあっては、光源は、ＬＥＤである。これにより、ＬＥＤを光源とした光源モジュールを提供することができる。
【００１８】
本発明に係る表示装置は、前述のいずれか１つの発明に係る光源モジュールを備えることを特徴とする。
【００１９】
本発明にあっては、配光特性の自由度を向上させることができる表示装置を提供することができる。
【００２０】
本発明に係る照明装置は、前述のいずれか１つの発明に係る光源モジュールを備えることを特徴とする。
【００２１】
本発明にあっては、配光特性の自由度を向上させることができる照明装置を提供することができる。
【発明の効果】
【００２２】
本発明によれば、レンズを任意の光源に装着して配光を調整することにより、レンズの位置を変更して配光特性を変更することができ、所要の配光を得ることができる。
【図面の簡単な説明】
【００２３】
【図１】本実施の形態の光源モジュールの構成の一例を示す平面図である。
【図２】本実施の形態の光源モジュールの構成の一例を示す側面断面図である。
【図３】レンズの配光特性の一例を示す説明図である。
【図４】配光特性が異なる複数種類のレンズを備えた光源モジュールの構成の他の例を示す平面図である。
【図５】１種類のレンズを備えた光源モジュールの構成の一例を示す平面図である。
【図６】実施の形態２の光源モジュールの構成の一例を示す平面図である。
【図７】先頭ブロックの外観の一例を示す説明図である。
【図８】光源ブロックの外観の一例を示す説明図である。
【図９】スペーサブロックの外観の一例を示す説明図である。
【図１０】光源ブロックの外観の一例を示す説明図である。
【図１１】終端ブロックの外観の一例を示す説明図である。
【図１２】装着部材の縦断面図である。
【図１３】実施の形態２の光源モジュールの回路構成の一例を示す説明図である。
【図１４】実施の形態２の光源モジュールの構成の第２の例を示す平面図である。
【図１５】実施の形態２の光源モジュールの第２の例の回路構成を示す説明図である。
【図１６】実施の形態２の光源モジュールの防水構造の一例を示す説明図である。
【図１７】本実施の形態の表示装置における光源モジュールの配置例を示す平面図である。
【図１８】本実施の形態の表示装置における光源モジュールの配置例を示す側面図である。
【発明を実施するための形態】
【００２４】
（実施の形態１）
以下、本発明をその実施の形態を示す図面に基づいて説明する。図１は本実施の形態の光源モジュール１０の構成の一例を示す平面図であり、図２は本実施の形態の光源モジュール１０の構成の一例を示す側面断面図である。
【００２５】
光源モジュール１０は、矩形状の基板２上に光源としてのＬＥＤ１が複数適宜の離隔寸法（例えば、１００ｍｍ程度）で配置して実装してある。光源モジュール１０の長さは、例えば、１２００ｍｍ程度であり、幅は、５０ｍｍ程度である。なお、基板２は、１つでもよく、あるいは複数の基板に分けてあってもよい。なお、以下の説明では、ＬＥＤ１は光源であり、後述のレンズ３、４を装着したＬＥＤ１、及びレンズを装着していないＬＥＤ１も光源として扱うものとする。
【００２６】
基板２には、所要の配線パターンが形成されている。電源線を介して基板２に電源を接続して、各ＬＥＤ１に所要の電力を供給して所要の明るさでＬＥＤ１を点灯することができる。
【００２７】
ＬＥＤ１は、光源モジュール１０の用途に応じて、電球色、昼白色、白色、昼光色、赤色、緑色、青色などの所望の発光色を有するものを用いることができる。
【００２８】
それぞれのＬＥＤ１には、配光を制御すべく配光特性（出射角度に対する相対光度の関係）が異なる複数種類のレンズ３又はレンズ４を装着してある。より具体的には、レンズ３又はレンズ４を、ＬＥＤ１の上側に配置している。図１の例では、直線状に配置された１２個のＬＥＤ１に対して、レンズ３、４を順番に交互に装着しているが、ＬＥＤの数又は配置パターン、レンズの種類の数、レンズ３、４の配置（装着位置）は、図１の例に限定されるものではない。なお、レンズ３、４はほぼ同様の形状をなし、配光特性が異なる。
【００２９】
レンズ３は、例えば、透明のアクリル製であって、略円板状をなす。図２に示すように、レンズ３は、断面形状が略台形状をなし、側面から上面にかけて凸状の曲面で形成されている。レンズ３の中央部には、ＬＥＤ１の寸法より大きい窪み３１を設けてあり、窪み３１にＬＥＤ１が配置されるようにレンズ３を基板２上に装着してある。
【００３０】
レンズ３は、底面に数箇所の突起部を形成してあり、突起部に熱硬化性の接着剤を付けて所定の温度で熱硬化させることにより基板２上に装着することができる。
【００３１】
レンズ４もレンズ３と同様の構成をなす。なお、レンズ３の材質はアクリル製に限定されない。例えば、ポリカーボネートを用いることもできるが、透明性に優れたアクリル製がより好ましい。
【００３２】
レンズ３、４により、ＬＥＤ１から発せられた光は、光軸方向（直上方向）だけでなく、基板２の表面と略平行な方向へ拡散させることができる。また、レンズ３、４は、それぞれ配光特性が異なるので、レンズ３、４から出射される光の配光を変えることができる。
【００３３】
図３はレンズ３、４の配光特性の一例を示す説明図である。図３において、横軸は出射角度を示し、縦軸は相対光度を示す。出射角度が０度は、レンズ３、４の光軸方向（直上方向）、すなわち、ＬＥＤ１が実装された基板の表面に対して垂直方向を示す。また、出射角度が９０度、又は−９０度は、横方向、すなわち、ＬＥＤ１が実装された基板の表面に平行な水平方向を示す。
【００３４】
図３中、符号Ａで示す曲線は、レンズ３の配光特性を示し、符号Ｂで示す曲線は、レンズ４の配光特性を示す。図３に示すように、レンズ３、４は、出射角度が±７０〜８０度付近で相対光度の最大ピークを有するとともに、出射角度が小さい範囲(例えば、略−２０度〜２０度)、すなわち、光軸方向（直上方向）付近で相対光度が略均等で小さくなっている。すなわち、最大ピークの光度と光軸方向の光度との光度差が異なる配光特性を有する。
【００３５】
図３に示すように、レンズ３、４とでは配光特性が異なる。レンズ３（曲線Ａ）の配光特性は、出射角度が小さい範囲で相対光度が小さく、かつ相対光度の最大ピークが大きい。すなわち、レンズ３から出射される光は、光軸方向の照度を抑制しつつ広範囲に光を拡散させる。一方、レンズ４（曲線Ｂ）の配光特性は、出射角度が小さい範囲で相対光度がレンズ３の配光特性よりも大きく、かつ相対光度の最大ピークがレンズ３の配光特性よりも小さい。すなわち、レンズ４から出射される光は、レンズ３の場合よりも光軸方向の照度が大きくなる。レンズ３、４を組み合わせることにより、光源の光軸の照度を確保しつつ光源の光を広範囲に拡散することができる。
【００３６】
上述のように、配光を制御すべく配光特性が異なる複数種類のレンズ３、４を備え、レンズ３、４が装着されるＬＥＤ１（光源）の位置を選択して配光を変更可能にする。ここで、レンズ３、４が装着されるＬＥＤ１の位置を選択するということは、ＬＥＤ１に装着するレンズ３、４のみの位置を選択する場合を含む。例えば、基板に予め配置して実装されたＬＥＤ１のうち、レンズ３、４を装着するＬＥＤ１、すなわちレンズ３、４のみの位置を選択して配光を変更可能にする。図１の例では、直線状に配置した１２個のＬＥＤ１に対して、レンズ３、４を装着するＬＥＤを交互に選択してある。配光特性が異なるレンズ３、４を装着するＬＥＤ１の位置を変える（光源の位置を選択する）ことにより、例えば、レンズ３を装着したＬＥＤ１による配光特性と、レンズ３の配光特性と異なる配光特性のレンズ４を装着したＬＥＤ１による配光特性とを異ならせるとともに、配光特性の異なるレンズを装着するＬＥＤ１の位置を自由に変えることができるので、配光を変更可能にして所要の配光を得ることができる。
【００３７】
図４は配光特性が異なる複数種類のレンズ３、４を備えた光源モジュール１０の構成の他の例を示す平面図である。図１の例では、配光特性の異なるレンズ３、４を装着するＬＥＤ１の位置を交互に繰り返すものであったが、レンズ３、４の位置は図１の例に限定されるものでない。図４の例では、図１の場合と比べて、レンズ３、４を装着するＬＥＤ１の位置を変更している。これにより、配光特性の異なるレンズを装着するＬＥＤ１の位置を自由に変えることにより、所要の配光を得ることができる。
【００３８】
図５は１種類のレンズ３を備えた光源モジュール１０の構成の一例を示す平面図である。図１の例では、配光特性の異なるレンズ３、４を装着するＬＥＤ１の位置を交互に繰り返すものであったが、これに限定されるものでなく、１種類のレンズをＬＥＤ１に装着して配光特性を調整することもできる。図５に示すように、１２個のＬＥＤ１のうち、レンズ３を装着するＬＥＤ１の位置を選択することにより配光を調整することができる。なお、図５において、レンズ３の代わりにレンズ４を用いることもできる。
【００３９】
すなわち、複数のＬＥＤ１のうち、レンズを装着するＬＥＤ１を選択して配光を調整する。レンズを装着するＬＥＤ１を変えることにより、レンズを装着したＬＥＤ１による配光特性と、レンズを装着していないＬＥＤ１による配光特性とを異ならせるとともに、レンズ３の有無による配光特性の異なるＬＥＤ１の位置を自由に変えることができるので、所要の配光を得ることができる。
【００４０】
なお、上述の図１、図４及び図５では、基板２を取り付けるための取付部を例示していないが、基板２の形状に応じて適宜取付部を設けて表示装置又は照明装置内に取り付けることができる。
【００４１】
（実施の形態２）
上述の実施の形態１では、光源モジュール１０は、矩形状の基板２に複数のＬＥＤ１を実装する構成であったが、これに限定されるものではなく、各ＬＥＤ１を実装した複数の基板（基板ブロック）を用いることもできる。
【００４２】
図６は実施の形態２の光源モジュール２０の構成の一例を示す平面図である。光源モジュール２０は、複数の基板（基板ブロック）を配置して収容する収容部としての装着部材２１に、先頭ブロック１１、光源ブロック１２、１４、スペーサブロック１３、終端ブロック１５を適宜並べた構成をなす。装着部材２１の両端には、先頭ブロック１１と終端ブロック１５を配置してあり、先頭ブロック１１と終端ブロック１５との間には、適宜の数の光源ブロック１２、１４を配置するとともに、光源ブロック１２、１４同士の間にスペーサブロック１３を配置することにより、光源ブロック１２、１４の位置を変更することができる。なお、先頭ブロック１１、光源ブロック１２、１４、スペーサブロック１３、終端ブロック１５の配置は、図６の例に限定されるものではない。
【００４３】
図７は先頭ブロック１１の外観の一例を示す説明図である。符号Ａ〜Ｄは、それぞれ先頭ブロック１１の平面、側面、両端面を示す。先頭ブロック１１は、略直方体のブロック本体１１０の両側面に段差１１５を形成してある。一方の端面には、配線１１１、１１２を接続してあり、他方の端面には、電源プラグ１０１、１０２を設けてある。電源プラグ１０１、１０２は、後述の電源ソケット１１１、１１２に挿入されて電気的に接続される。
【００４４】
図８は光源ブロック１２の外観の一例を示す説明図である。符号Ａ〜Ｄは、それぞれ光源ブロック１２の平面、側面、両端面を示す。光源ブロック１２は、略直方体のブロック本体１２０の両側面に段差１２５を形成してある。一方の端面には、電源ソケット１１１、１１２を設けてあり、他方の端面には、電源プラグ１０１、１０２を設けてある。電源プラグ１０１、１０２は、電源ソケット１１１、１１２に挿入されて電気的に接続される。
【００４５】
ブロック本体１２０の上面には、ＬＥＤ１を実装してあり、ＬＥＤ１には、配光を制御するレンズ３を装着してある。また、レンズ３の周りには反射板１２６を設けてあり、ＬＥＤ１から発せられる光を反射して、上方又は周辺に照射するようにしてある。レンズ３は、実施の形態１と同様の配光特性を有する。
【００４６】
図９はスペーサブロック１３の外観の一例を示す説明図である。符号Ａ〜Ｄは、それぞれスペーサブロック１３の平面、側面、両端面を示す。スペーサブロック１３は、略直方体のブロック本体１３０の両側面に段差１３５を形成してある。一方の端面には、電源ソケット１１１、１１２を設けてあり、他方の端面には、電源プラグ１０１、１０２を設けてある。
【００４７】
図１０は光源ブロック１４の外観の一例を示す説明図である。符号Ａ〜Ｄは、それぞれ光源ブロック１４の平面、側面、両端面を示す。光源ブロック１４は、略直方体のブロック本体１４０の両側面に段差１４５を形成してある。一方の端面には、電源ソケット１１１、１１２を設けてあり、他方の端面には、電源プラグ１０１、１０２を設けてある。電源プラグ１０１、１０２は、電源ソケット１１１、１１２に挿入されて電気的に接続される。
【００４８】
ブロック本体１４０の上面には、ＬＥＤ１を実装してあり、ＬＥＤ１には、配光を制御するレンズ４を装着してある。また、レンズ４の周りには反射板１４６を設けてあり、ＬＥＤ１から発せられる光を反射して、上方又は周辺に照射するようにしてある。レンズ４は、実施の形態１と同様の配光特性を有する。
【００４９】
図１１は終端ブロック１５の外観の一例を示す説明図である。符号Ａ〜Ｄは、それぞれ終端ブロック１５の平面、側面、両端面を示す。終端ブロック１５は、略直方体のブロック本体１５０の両側面に段差１５５を形成してある。一方の端面には、電源ソケット１１１、１１２を設けてある。
【００５０】
図１２は装着部材２１の縦断面図である。図１２に示すように、装着部材２１は、断面形状が略Ｕ字状であって、長手方向に沿って対向して配置された２つの溝部２１１、２１２を有する。先頭ブロック１１、光源ブロック１２、１４、スペーサブロック１３、終端ブロック１５それぞれの段差１１５、１２５、１３５、１４５、１５５を、溝部２１１、２１２に嵌合させることにより、先頭ブロック１１、光源ブロック１２、１４、スペーサブロック１３、終端ブロック１５を装着部材２１に収容することができる。収容部としての装着部材２１は、接続して配線した複数の光源ブロック１２、１４を保護し、外力等が加わっても接続状態を維持するため補強する効果も備える。
【００５１】
先頭ブロック１１、光源ブロック１２、１４、スペーサブロック１３、終端ブロック１５を収容した装着部材２１を表示装置又は照明装置などのシャーシ等に取り付けることができる。
【００５２】
スペーサブロック１３は、光源ブロック１２、１４同士の間隔を調整して光源ブロック１２、１４同士を接続し、光源モジュール１２、１４全体の配光を調整することを目的の１つとするものであり、スペーサブロック１３を装着する位置を変更し、あるいは光源ブロック１２、１４間に装着する個数を変更することにより、所望の配光に調整（変更）するためのものである。
【００５３】
上述の構成においても、光源の配光を制御するレンズ３、４を、レンズ３、４が装着されるＬＥＤ１（光源）の位置を選択して配光を変更可能にする。レンズ３、４が装着されるＬＥＤ１（光源）の位置を選択するということは、レンズ３、４が装着されているＬＥＤ１（光源）自体の位置を選択する場合を含む。レンズ３、４が装着されているＬＥＤ１（光源）は、上述の光源ブロック１２、１４である。すなわち、「レンズ３、４を装着したＬＥＤ１」（光源ブロック１２、１４）ごとに位置を選択して配光を変更可能にする。レンズ３、４を装着したＬＥＤ１を実装した光源ブロック１２、１４それぞれの位置を装着部材２１内で変更する（光源の位置を選択する）ことにより、配光特性を変更することができ、配光を変更可能にして所要の配光を得ることができる。光源ブロック１２、１４の位置を変えるには、スペーサブロック１３の数を調整すればよい。
【００５４】
図１３は実施の形態２の光源モジュール２０の回路構成の一例を示す説明図である。光源モジュール２０は、電源プラグ１０１、１０２、電源ソケット１１１、１１２を介して電気的に接続された先頭ブロック１１、光源ブロック１２、１４、スペーサブロック１３及び終端ブロック１５に不図示の定電流電源から所要の電力が供給される。なお、光源ブロック１２、１４には、ＬＥＤ１に流れる電流を調整するための抵抗５を接続してある。また、先頭ブロック１１には、回路を過電流から保護するためのヒューズ７を設けている。
【００５５】
図１４は実施の形態２の光源モジュール２０の構成の第２の例を示す平面図であり、図１５は実施の形態２の光源モジュール２０の第２の例の回路構成を示す説明図である。図１４に示すように、装着部材２１の両端に先頭ブロック１１及び終端ブロック１５を装着し、先頭ブロック１１と終端ブロック１５との間では、光源ブロック１２、１４の位置を任意に変更することができる。光源ブロック１２、１４の位置は、スペーサブロック１３の位置と数により変更することができる。
【００５６】
上述の例では、光源ブロック１２、１４のように複数種類の配光特性を有する光源ブロックを用いる構成であったが、これに限定されるものではない。例えば、光源ブロック１２、１４のいずれか一方のみを用いるとともに、当該一方の光源ブロックの位置をスペーサブロック１３の数及び配置により変更するようにしてもよい。また、上述の例では、ＬＥＤ１にレンズ３、４を装着する構成であったが、ＬＥＤ１にレンズを装着しない光源ブロックを用いることもできる。レンズを装着した光源ブロックによる配光特性と、レンズを装着していない光源ブロックによる配光特性とを異ならせるとともに、配光特性の異なる光源ブロックの位置を自由に変えることができるので、所要の配光を得ることができる。
【００５７】
図１６は実施の形態２の光源モジュール２０の防水構造の一例を示す説明図である。なお、図１６の例では、先頭ブロック１１とスペーサブロック１３との接続部分について説明するが、他のブロック同士の接続構造も同様である。
【００５８】
図１６に示すように、先頭ブロック１１の端部に断面形状が矩形状の凸部１１６を設け、凸部１１６の端面に電源プラグ１０１、１０２を設ける。また、スペーサブロック１３の端部に断面形状が矩形状の凹部１３６を設け、凹部１３６に電源ソケット１１１、１１２を設ける。そして、凹部１３６の内周面（あるいは凸部１１６の外周面）に防水パッキン１３７を周設することにより、外部から水分が侵入することを防止することができる。
【００５９】
図１７は本実施の形態の表示装置１００における光源モジュール１０の配置例を示す平面図であり、図１８は本実施の形態の表示装置１００における光源モジュール１０の配置例を示す側面図である。表示装置１００は、例えば、看板等である。図１７、図１８の例では、例えば、看板本体の縦横厚み寸法は、例えば、７５０ｍｍ×１３００ｍｍ×１００ｍｍ程度であり、光源モジュール１０の長さは、１２００ｍｍ程度である。図１７に示すように、光源モジュール１０を看板本体のほぼ中央部に長手方向に沿って取り付けてある。看板の表面には、アクリル製の拡散板１０２を設けてある。なお、実施の形態１の光源モジュール１０に代えて、実施の形態２の光源モジュール２０を用いることもできる。
【００６０】
なお、看板本体の形状や寸法、光源モジュール１０、２０の配置及び数は、図１７及び図１８の例に限定されるものではなく、用途などに応じて適宜決定することができる。また、上述の表示装置の実施形態は、照明装置にも適用することができる。すなわち、照明装置であっても、図１７、図１８に示すような配置を採用することができるが、縦横寸法、光源モジュールの数又は配置は、照明装置の大きさに応じて適宜決定することができる。
【００６１】
配光特性の異なる光源（レンズを装着しないＬＥＤ、所定の配光特性のレンズを装着したＬＥＤ、配光特性の異なるレンズを装着したＬＥＤ）を組み合わせることにより、光軸方向（すなわち、看板の表面に垂直な方向）の照度を維持しつつ、看板の周囲に対する照度を得ることができる。
【００６２】
なお、実施の形態２の光源モジュール２０に代えて、従来技術のようなＬＥＤモジュール（ＬＥＤにレンズが装着されＬＥＤとレンズとが一体化、固定化されＬＥＤの配光特性が一義的に決定されたモジュール）を複数備え、ＬＥＤモジュールを収容部に収容しＬＥＤモジュールの位置を選択することにより配光を変更可能にすることもできる。
【００６３】
従来のように、光源の配光特性が一義的に固定されてしまう場合には、光軸方向（直上方向）の照度を得るようにするときは、看板の厚さを光源の配置間隔と同等以上にする必要があり、看板を薄型化することが困難であった。また、光源の配光特性が一義的に固定されてしまう場合に、周辺の照度を得るようにするときは、光軸方向の照度が十分に得ることができなかった。本実施の形態では、配光特性の異なる光源の位置を所望の位置に変えることができるので、光軸方向の照度を得ながら看板の薄型化を図ることができ、看板としての配光を自由に調整することができる。また、光軸方向だけでなく看板の周辺部まで発光させることができ均一な発光面を確保することもでき、光源の数を従来よりも低減することができるとともに、省電力化を図ることもできる。また、光源を看板の中央部に集中配置すれば、看板全体から必要な光を照射することができるので、看板筐体全体に光源を取り付ける必要がなく、施工性を向上させることができる。
【００６４】
上述の実施の形態では、光源ブロック１２、１４に１つのＬＥＤ１を備え、異なる配光特性のレンズを装着する構成であったが、これに限定されるものではなく、光源ブロックに複数のＬＥＤを備える構成であってもよい。そして、光源ブロックの複数のＬＥＤに装着するレンズの種類を光源ブロック毎に変えることもできる。
【００６５】
上述の実施の形態では、光源としてＬＥＤを用いる構成であったが、光源はＬＥＤに限定されるものではなく、ＥＬのような発光素子であってもよい。
【符号の説明】
【００６６】
１  ＬＥＤ（光源）
２  基板（基板）
３、４  レンズ（光源）
１２、１４  光源ブロック（基板）
２１  装着部材（収容部）
１０、２０  光源モジュール
【図１】
2012123945.tif 000003
【図２】
2012123945.tif 000004
【図３】
2012123945.tif 000005
【図４】
2012123945.tif 000006
【図５】
2012123945.tif 000007
【図６】
2012123945.tif 000008
【図７】
2012123945.tif 000009
【図８】
2012123945.tif 000010
【図９】
2012123945.tif 000011
【図１０】
2012123945.tif 000012
【図１１】
2012123945.tif 000013
【図１２】
2012123945.tif 000014
【図１３】
2012123945.tif 000015
【図１４】
2012123945.tif 000016
【図１５】
2012123945.tif 000017
【図１６】
2012123945.tif 000018
【図１７】
2012123945.tif 000019
【図１８】
2012123945.tif 000020